(57)【要約】  モバイル用テレビのサービスプロバイダ（１３２）によって放送されるモバイル用テレビ番組の宛先を変更する本発明に係る携帯用モバイル通信デバイス（１１０）は、モバイル用テレビ装置（２５０）と、モバイル用テレビのサービスプロバイダ（１３２）と通信可能なモバイル用テレビのリダイレクトアプリケーション（２２２）を実行するプロセッサ（２２０）と、モバイル用テレビ装置（２５０）とモバイル用テレビのリダイレクトアプリケーション（２２２）とを制御するためのユーザインタフェース（２１０）とを含む。これにより、ユーザインタフェース（２１０）によって受信された入力信号に応じてモバイル用テレビ放送番組を高品質で代替装置へリダイレクトさせ、モバイル用テレビのサービスプロバイダ（１３２）へ送信することが可能となる。上記代替装置は、インターネット（１４０）を介してモバイル用テレビのサービスプロバイダ（１３２）に結合され、かつ、当該サービスプロバイダ（１３２）と通信可能なホームメディアサーバ（１６０）、又は、コンピュータ（１５０）を含んでもよい。
2009515425.tif 000002
【特許請求の範囲】
【請求項１】
モバイル用テレビのサービスプロバイダ１３２によって放送されるモバイル用テレビ番組の宛先を変更する携帯用モバイル通信デバイス１１０であって、
モバイル用テレビ受信機２５４と、
前記モバイル用テレビのサービスプロバイダ１３２と通信可能なモバイル用テレビのリダイレクトアプリケーション２２２を実行するプロセッサ２２０と、
モバイル用テレビ装置２５０と、前記モバイル用テレビのリダイレクトアプリケーション２２２とを制御するためのユーザインタフェース２１０と
を備え、
ユーザインタフェース２１０により受信された入力信号に応じて、より高品質のフォーマットでモバイル用テレビ放送番組を代替装置１８０へリダイレクトさせ、前記モバイル用テレビのサービスプロバイダ１３２へ送信することを特徴とする携帯用モバイル通信デバイス。
【請求項２】
携帯用モバイル通信デバイスにおいて、モバイル用テレビのサービスプロバイダによって放送されるモバイル用テレビ番組の宛先を前記携帯用モバイル通信デバイスへ変更する方法であって、
放送予定番組のチャネル案内から放送番組を選択するための入力信号を前記携帯用モバイル通信デバイスに設けたユーザインタフェースから受信するステップ（３３０）と、
前記携帯用モバイル通信デバイスに設けたディスプレイを介して、前記選択した放送番組のための代替の宛先の入力を促すステップ（３４０）と、
前記選択した放送番組のための前記代替の宛先を特定するための入力信号を前記携帯用モバイル通信デバイスに設けたユーザインタフェースから受信するステップと、
前記選択した放送番組のための前記代替の宛先へ低品質のフォーマットでリダイレクトするか、高品質のフォーマットで前記代替の宛先へリダイレクトするかを特定するための入力信号を前記携帯用モバイル通信デバイスに設けたユーザインタフェースから受信するステップ（３５０）と、
前記モバイル用テレビのサービスプロバイダから前記代替の宛先への、前記選択した放送番組の前記リダイレクトを前記選択した低品質フォーマットで（３６０）又は高品質フォーマットで（３７０）行わせるステップと
を含むことを特徴とする方法。
【請求項３】
前記モバイル用テレビのサービスプロバイダから前記代替の宛先への、前記選択した放送番組の前記リダイレクトを行わせる前記ステップは、
前記選択した放送番組のための前記代替の宛先を特定するための前記受信した入力信号を処理するステップと、
前記選択した放送番組を前記モバイル用テレビのサービスプロバイダから前記代替の宛先へ送信する命令とともに、前記モバイル用テレビのサービスプロバイダへ無線で制御信号を送信するステップとを含むことを特徴とする請求項２に記載の方法。
【請求項４】
前記代替の宛先は、前記インターネット１４０を介して前記モバイル用テレビのサービスプロバイダ１３２と結合されたホームメディアサーバ１６０を含むことを特徴とする請求項２に記載の方法。
【請求項５】
前記代替の宛先は、前記インターネット１４０を介して前記モバイル用テレビのサービスプロバイダ１３２と結合されたコンピュータ１５０を含むことを特徴とする請求項２に記載の方法。
【請求項６】
携帯用モバイル通信デバイス１１０において、モバイル用テレビのサービスプロバイダ１３２によって放送される前記モバイル用テレビ番組の宛先を前記携帯用モバイル通信デバイス１１０へ変更するためのコンピュータプログラムであって、
放送予定番組のチャネル案内から放送番組を選択するための入力信号を前記携帯用モバイル通信デバイスに設けたユーザインタフェースから受信する（３３０）ステップと、
前記携帯用モバイル通信デバイスに設けたディスプレイを介して、前記選択した放送番組のための代替の宛先の入力を促す（３４０）ステップと、
前記選択した放送番組のための前記代替の宛先を特定するための入力信号を前記携帯用モバイル通信デバイスに設けたユーザインタフェースから受信するステップと、
前記選択した放送番組のための前記代替の宛先へ低品質のフォーマットで送信するか、高品質のフォーマットで送信するかを特定するための入力信号を前記携帯用モバイル通信デバイスに設けたユーザインタフェースから受信する（３５０）ステップと、
前記モバイル用テレビのサービスプロバイダから前記代替の宛先への、前記選択した放送番組の前記リダイレクトを前記選択した低品質フォーマットで（３６０）又は高品質フォーマットで（３７０）行わせるステップと
を含むことを特徴とするコンピュータプログラム。
【請求項７】
前記モバイル用テレビのサービスプロバイダから前記代替の宛先への、前記選択した放送番組の前記リダイレクトを行わせる前記ステップは、
前記選択した放送番組のための前記代替の宛先を特定するための前期受信した入力信号を処理するステップと、
前記選択した放送番組を前記モバイル用テレビのサービスプロバイダから前記代替の宛先へ送信する命令とともに、前記モバイル用テレビのサービスプロバイダへ無線で制御信号を送信するステップとを含むことを特徴とする請求項６に記載のコンピュータプログラム。
【発明の詳細な説明】
【技術分野】
【０００１】
本発明は、携帯用モバイル通信デバイス及びシステムに関し、さらに詳細には、ライブのテレビ放送信号の配信をモバイル通信デバイスから制御する携帯用モバイル通信デバイス、システム及び、それらの方法に関するものである。
【背景技術】
【０００２】
モバイル電話機のような携帯用モバイル通信デバイスがさらに高度なものになりつつあり、多くの新たな機能と能力とがその中に含まれるようになっている。このような機能の１つとして、携帯機器向けデジタルビデオ放送（ＤＶＢ−Ｈ）、デジタルメディア放送（ＤＭＢ）、一体サービス型地上デジタル放送（ＩＳＤＢ−Ｔ）、移動放送マルチキャストサービス（ＭＢＭＳ）、若しくは類似の技術のようなモバイル用放送テレビ信号又はモバイル用テレビ等を受信する能力が挙げられる。現行のモバイル無線送受信機である携帯用モバイル通信デバイスを用いて受信できるＭＢＭＳを除いて、上述の技術のすべては、モバイル電話機に内蔵されている場合、個別のモバイル用テレビチューナを利用する。
【発明の開示】
【発明が解決しようとする課題】
【０００３】
上述のような放送を受信するための利便性係数（convenience factor）はモバイル装置のユーザにとって高いものとなる。不都合なことに、ユーザの視聴経験は、モバイル通信機器自体によって、特に、モバイル通信デバイスの画面サイズと解像度、並びに、モバイル用放送テレビ信号の送受信のために提供される帯域幅によって制約を受けることになる。
【０００４】
現在、上述のユーザのジレンマを解決する対策は存在していない。発信装置から放送されたモバイル用ビデオを高品質でホームメディアサーバのような代替装置へ向けてユーザが送信することを可能にするメカニズムが今後使用していくために求められている。
【課題を解決するための手段】
【０００５】
本発明の実施形態によれば、モバイル用テレビのサービスプロバイダにより放送されるモバイル用テレビ番組の宛先を変更する携帯用モバイル通信デバイスが説明される。この携帯用モバイル通信デバイスには、モバイル用テレビ装置と、モバイル用テレビのサービスプロバイダと通信可能なモバイル用テレビのリダイレクトアプリケーションを実行するプロセッサと、モバイル用テレビのリダイレクトアプリケーションを制御するユーザインタフェースとが含まれる。これによって、ユーザインタフェースにより受信した入力信号に応答して、モバイル用テレビ番組（信号）の高品質フォーマットでのリダイレクトが可能となる。代替装置としては、インターネットを介してモバイル用テレビのサービスプロバイダに結合され、かつ、このサービスプロバイダと通信可能なホームメディアサーバ、コンピュータ、又は、他のビデオ再生装置が含まれてもよい。
【０００６】
本発明の他の実施形態によれば、モバイル用テレビのサービスプロバイダにより放送されるモバイル用テレビ番組の宛先を携帯用モバイル通信デバイスへ変更する方法について説明する。この方法は、携帯用モバイル通信デバイスに設けたユーザインタフェースから入力信号を受信し、放送予定番組のチャネル案内から放送番組を選択するステップを備える。携帯用モバイル通信デバイスに設けられたディスプレイを介して、プロンプトが上記選択された放送番組のための１以上の宛先に対して表示され、選択した番組の高品質のフォーマットで送信するかどうかが示される。次いで、代替の宛先と、上記選択した放送番組に対する所望の品質（高品質又は低品質）とを特定する入力信号が、携帯用モバイル通信デバイスに設けたユーザインタフェースから受信される。携帯用モバイル通信デバイスは、モバイル用テレビのサービスプロバイダから選択した代替の宛先への、上記選択した放送番組のリダイレクトを低品質又は高品質のフォーマットで行わせる。これは、モバイル用テレビのサービスプロバイダから、インターネットを介してモバイル用テレビのサービスプロバイダと結合されたホームメディアサーバ、コンピュータ、又は他の再生装置のような代替の宛先へ上記選択した放送番組をリダイレクトする命令とともに、モバイル用テレビのサービスプロバイダへ無線で制御信号を送信することにより実現される。
【発明を実施するための最良の形態】
【０００７】
実施形態についての以下の詳細な説明は、本発明の特定の実施形態を示す添付図面を参照するものである。異なる構造及び動作を有する他の実施形態も本発明の範囲から外れるものではない。
【０００８】
当業者によって理解されるように、本発明は、方法、システム又はコンピュータプログラムとして実現することができる。したがって、本発明は、全体としてハードウェアの実施形態か、（ファームウェア、常駐ソフトウェア、マイクロコードなどを含む）全体としてソフトウェアの実施形態か、又はソフトウェアとハードウェアとの態様を組み合わせた実施形態の形態をとりうる。本明細書ではこれらすべてを一般的に「回路」、「モジュール」又は「システム」と称する。さらに、本発明は、コンピュータで使用可能な記憶媒体上のコンピュータプログラムであって、上記媒体に組み込まれたコンピュータプログラムの形態もとりうる。
【０００９】
また、任意の好適なコンピュータ可読媒体を利用してもよい。コンピュータで使用可能な媒体又はコンピュータ可読媒体は、例えば、電子的、磁気的、光学的、電磁的、赤外線の、又は半導体のシステム、設備、装置、又は伝播媒体であるが、これらに限定されるわけではない。コンピュータで読み取り可能な媒体のさらに詳細な例（非包括的なリスト）には、１以上の配線を有する電気接続、ポータブルコンピュータディスケット、ハードディスク、ランダムアクセスメモリ（ＲＡＭ）、リードオンリメモリ（ＲＯＭ）、消去可能なプログラム可能なリードオンリメモリ（ＥＰＲＯＭ又はフラッシュメモリ）、光ファイバ、ポータブルコンパクトディスク・リードオンリメモリ（ＣＤ−ＲＯＭ）、光記憶装置、インターネット若しくはイントラネットをサポートするような送信媒体、又は、磁気記憶装置が含まれる。なお、コンピュータで使用可能な媒体又はコンピュータで読み取り可能な媒体とは、プログラムが印刷された紙又は別の適切な媒体であってもよい。これは、例えば紙又は他の媒体を光走査し、その後必要に応じてコンパイル、変換又は適切な方法での処理を行い、かつコンピュータメモリに格納することによって、プログラムを電子的に取り込むことが可能だからである。本文献の文脈において、コンピュータで使用可能な媒体又はコンピュータ可読媒体は、命令実行システム、設備若しくは装置により、又は、命令実行システム、設備若しくは装置とともに使用されるプログラムを、収容し、記憶し、通信し、伝播し、又は転送できるあらゆる媒体であり得る。
【００１０】
本発明の演算を実行するためのコンピュータプログラムコードは、Ｊａｖａ（登録商標）、Ｓｍａｌｌｔａｌｋ、Ｃ＋＋等のようなオブジェクト指向言語で書かれたものであってもよい。しかし、本発明の演算を実行するためのコンピュータプログラムコードは、従来の手続きプログラミング言語、例えばＣプログラム言語、又は同様のプログラム言語で書かれていてもよい。プログラムコードは、ユーザのコンピュータでその全体を実行してもよいし、ユーザのコンピュータでその一部を、ユーザのコンピュータで独立型ソフトウェアパッケージとしてその一部を、及び、遠隔コンピュータにおいてその一部を、又は遠隔コンピュータ若しくはサーバでその全体を実行してもよい。後者のシナリオでは、ローカルエリアネットワーク（ＬＡＮ）又は広域ネットワーク（ＷＡＮ）を介して遠隔コンピュータをユーザのコンピュータに接続してもよい。或いは、この接続は、（インターネットサービスプロバイダなどを利用するインターネットを通じて）外部のコンピュータと行ってもよい。
【００１１】
本発明の実施形態による方法、装置（システム）、コンピュータプログラムのフローチャート及びブロック図の少なくともいずれかに言及しながら、本発明について以下に説明する。フローチャート図とブロック図の少なくともいずれかの個々のブロック、及び、フローチャート図内のブロックとブロック図の少なくともいずれかの組み合わせはコンピュータプログラム命令により実現可能であることは理解できよう。これらのコンピュータプログラム命令は、汎用コンピュータ、特殊用途のコンピュータ、機械を生産するための他のプログラム可能なデータ処理装置のプロセッサに対して提供される。コンピュータと、その他のプログラム可能なデータ処理装置のプロセッサとにより実行される命令は、フローチャートとブロック図のブロック又はブロック群との少なくともいずれかのブロックで特定される機能／動作を実行する手段を創り出すことができる。
【００１２】
また、これらのコンピュータプログラム命令は、コンピュータ可読メモリに格納されてもよく、これらの命令は、コンピュータ或いは他のプログラム可能なデータ処理装置に対して特定の方法で指示を行うことができる。そうすることで、コンピュータ可読メモリに格納された上記命令によって、フローチャートとブロック図のブロック又はブロック群との少なくともいずれかのブロックで特定される機能／動作を実現する命令手段を含む製品が生成されることになる。
【００１３】
上記コンピュータプログラム命令は、コンピュータ又は他のプログラム可能な装置において一連の処理ステップを実行するために、コンピュータ又は他のプログラム可能なデータ処理装置にロードされ、コンピュータにより実行される処理を生成することができる。
【００１４】
図１は、本発明の実施形態に係る放送されるモバイル用テレビ信号の宛先を制御する例示システムのブロック図である。システム１００は、携帯機器向けデジタルビデオ放送（ＤＶＢ−Ｈ）、デジタルメディア放送（ＤＭＢ）、一体サービス型地上デジタル放送（ＩＳＤＢ−Ｔ）、移動放送マルチキャストサービス（ＭＢＭＳ）、又は他の同様の技術であってもよい。携帯用モバイル通信デバイスの形で存在しているモバイル無線送受信機を用いて受信できるＭＢＭＳを除いて、上述のすべての技術は、モバイル電話機に内蔵されている場合、個別のモバイル用テレビチューナを利用する。
【００１５】
携帯用モバイル通信デバイス１１０は、コードレス電話機、セルラ電話機、パーソナル・デジタル・アシスタント（ＰＤＡ）、コミュニケータ、コンピュータ装置、等であってもよく、最新型モバイル電話サービス（ＡＭＰＳ）、デジタル最新型モバイル電話サービス（Ｄ−ＡＭＰＳ）、モバイル通信用グローバルシステム（ＧＳＭ）、符号分割多元接続（ＣＤＭＡ）等のような通信デバイスであって、何らかの特別の通信規格に固有の通信デバイスではない。図２に例示の携帯用モバイル通信デバイス１１０の設計は本発明の説明を目的とするものであり、本発明は特定の設計に限定されるものではない。
【００１６】
図２に示す携帯用モバイル通信デバイス１１０は、通話及び他の通信の開始と実行とを含む携帯用モバイル通信デバイス１１０の動作の制御を容易にするためのオペレータ即ちユーザ用のインタフェース２１０を含んでもよい。ユーザインタフェース２１０は、携帯用モバイル通信デバイス１１０の状態と動作とに関して視覚信号をユーザへ提供するディスプレイ２１２を含んでもよい。ディスプレイ２１２はカラー画像を表示できる液晶ディスプレイ（ＬＣＤ）等であってもよい。ディスプレイ２１２は、画像、テキスト、数字、キャラクタ、グラフィックユーザインタフェース（ＧＵＩ）等の形でユーザ即ちオペレータへ情報を提供することができる。ディスプレイ２１２はまた、図３の方法３００と関連して説明する放送信号により搬送される番組を提示するのに用いることも可能である。
【００１７】
ユーザインタフェース２１２はまた、キーパッド及びファンクションキー又はボタン２１４を含むものであってもよく、ジョイスティック等のようなポインティングデバイスを含んでもよい。キーパッド、ファンクションボタン、ジョイスティック２１４は、モバイル用テレビジョンプロバイダやインターネットへのアクセス時に、ユーザがコマンドを携帯用モバイル通信デバイス１１０へ通信して、電話番号をダイアルし、通話の開始及び終了を行い、別の通信を確立し、電子メール、テキストメッセージ等の送受信を行うことを可能にする。キーパッド、ファンクションボタン、ジョイスティック２１４を用いて、携帯用モバイル通信デバイス１１０の他の動作を制御することも可能である。触覚入力を受信するように適合されたタッチパネル式ディスプレイにキーパッド、ファンクションボタン及びジョイスティック２１４を実装することも可能である。
【００１８】
ディスプレイ２１２、キーパッド及びファンクションボタン２１４は、メインプロセッサと制御論理ユニット２２０とに結合されてもよい。プロセッサと制御論理ユニットはマイクロプロセッサ等であってもよい。プロセッサと論理演算ユニット２２０は代替の宛先へ放送信号をリダイレクトすることを可能にする機能２２２を含んでもよい。図３の方法における携帯用モバイル通信デバイス１１０に関連して説明する機能及び動作は、放送信号をリダイレクトする機能２２２の中に実現することができる。放送信号をリダイレクトする機能２２２はハードウェア、ファームウェア、ソフトウェア（データ構造）又はこれらを組み合わせた形で実現することができる。プロセッサと論理演算ユニット２２０はまた、本明細書に記載のように制御信号の符号化と復号化とを行い、通信手順及び別の機能を実行するために、別のデータ構造、ソフトウェアプログラム、コンピュータ用アプリケーション等を含んでもよい。
【００１９】
ユーザインタフェース２１０は、マイクとスピーカ２１６とを含んでもよい。マイク２１６は、ユーザから又は他の音響ソースから音声信号や音響信号を受信する。また、マイク２１６は音声信号又は音響信号を電気信号に変換する。マイク２１６は、プロセッサと論理演算（制御論理）ユニット２２０とに接続してもよい。プロセッサと論理演算ユニット２２０とは、電気信号をベースバンド通信信号に変換する。上記プロセッサと制御論理ユニット２２０とは、モバイル無線送受信機２３０に接続してもよい。モバイル無線送受信機は、上記プロセッサと制御論理ユニット２２０から出されるベースバンド信号を無線周波数（ＲＦ）信号に変換する。モバイル無線送受信機２３０は、モバイル用無線アクセスネットワーク（ＭＲＡＮ）１２０等のような通信媒体又はシステムへＲＦ信号を送信するためのアンテナアセンブリ２４０に接続してもよい。モバイル無線送受信機２３０はＭＢＭＳ規格に従ってモバイル用テレビ放送を受信することもできる。上記シナリオでは、ＭＲＡＮ１２０はモバイル用テレビのサービスプロバイダとして機能する。
【００２０】
アンテナアセンブリ２４０は、無線でＲＦ信号を受信し、次いでこのＲＦ信号をモバイル無線送受信機２３０へ転送する。モバイル無線送受信機２３０はＲＦ信号をベースバンド信号に変換する。上記ベースバンド信号はプロセッサと制御論理ユニットに印加することができ、当該制御論理ユニット２２０はベースバンド信号を電気信号に変換することができる。プロセッサと制御ユニット２２０は電気信号をスピーカへ送信し、当該スピーカは電気信号をユーザに理解できるオーディオ信号に変換することができる。
【００２１】
携帯用モバイル通信デバイス１１０はまたモバイル用テレビ装置２５０を含んでもよい。モバイル用テレビ装置２５０はＤＶＢ−Ｈ型装置等であってもよい。モバイル用テレビ装置２５０は、携帯用モバイル通信デバイス１１０の一部として一体化されて形成されてもよいし、又は、携帯用モバイル通信デバイス１１０と連携して接続されるとともに、作動できる個別のユニットであってもよい。モバイル用テレビ装置２５０は、モバイル用テレビジョン放送ネットワーク、放送無線アクセスネットワーク（Ｂ−ＲＡＮ）１３０等から番組放送信号を受信するためのアンテナアセンブリ２５２を含んでもよい。受信機２５４は、放送信号を受信するために上記アンテナアセンブリ２５２に結合する。信号プロセッサ２５６は放送信号を受信機２５４から受信し、携帯用モバイル通信デバイス１１０のディスプレイ２１２に表示するためのフォーマットに上記放送信号を変換する。或いは、信号プロセッサ２５６は、受信機２３０から放送信号を受信し、携帯用モバイル通信デバイス１１０のディスプレイ２１２に表示するためのフォーマットに上記放送信号を変換してもよい。
【００２２】
Ｂ−ＲＡＮ１３０は、モバイル用テレビ又はＤＶＢ−Ｈ放送信号を発信して、携帯用モバイル通信デバイス１１０及びモバイル用テレビ装置２５０のような通信デバイスやモバイル用テレビ装置へ放送することも可能である。Ｂ−ＲＡＮ１３０は放送信号を送信する送信機を含んでもよい。
【００２３】
Ｂ−ＲＡＮ１３０はモバイル用テレビのサービスプロバイダ１３２に接続することができる。モバイル用テレビのサービスプロバイダ１３２は、Ｂ−ＲＡＮ１３０を介して通信デバイス１１０又はモバイル用テレビ装置２５０へ放送番組を発信することも可能である。モバイル用テレビのサービスプロバイダ１３２は放送アプリケーションサーバ１３４を含んでもよい。放送アプリケーションサーバ３４は放送信号をリダイレクトするためのアプリケーションを含んでもよい。
【００２４】
Ｂ−ＲＡＮ１３０はインターネット１４０に接続するか、又はインターネットプロトコル（ＩＰ）等を利用できる別の専用ネットワークに接続することも可能である。Ｂ−ＲＡＮ１３０とモバイル用テレビのサービスプロバイダ１３２とは、信号又はメッセージを送受信して、インターネット１４０を介して放送信号のリダイレクトの制御を図ることも可能である。録画済み番組の再生を制御するメッセージと信号とをインターネット１４０を介して送受信することも可能である。
【００２５】
本発明の他の実施形態によれば、図３の方法３００に示すように、ノート型コンピュータ１５０のような第三者の録画装置か、ホームメディアサーバ１６０のような第三者の録画再生用アプリケーションサーバや他の再生装置１８０は、リダイレクトされた放送信号を受信し、このリダイレクトされた放送信号により搬送される番組を録画するためのオプションにしてもよい。第三者の装置１５０、１６０、１８０は、インターネット１４０に接続して、リダイレクトした放送済み番組の受信を図ることができる。その後、ユーザは第三者の装置１５０、１６０、１８０にアクセスして、この録画済み番組を再生することが可能となる。ノート型コンピュータ１５０（又は別の類似の装置）の場合、コンピュータ及びコンピュータ上で制御される好適なアプリケーションを介して、ユーザはリダイレクトされた放送に直接アクセスすることができる。ホームメディアサーバ１６０（又は別の類似の装置）の場合、ユーザは、ホームメディアサーバ１６０に接続されたテレビ１７０（又はテレビジョンモニタ）を介してリダイレクトされた放送にアクセスすることができる。ホームメディアサーバ１６０とテレビ１７０との組み合わせには、リダイレクトされた放送済み番組の検索、操作及び視聴のための好適なアプリケーションが含まれる。
【００２６】
インターネット１４０上でモバイル用テレビ放送信号を代替の宛先１５０、１６０へリダイレクトする追加の利点の１つとして、より高い解像度の表示システムにおいて表示を行うための高帯域幅の送信システムを介して、モバイル用テレビ放送信号を送信できるという点が挙げられる。したがって、ある代替の宛先が、高品質の信号として特徴づけられる信号をサポートできることになる。
【００２７】
リダイレクトされた番組用の宛先としての、第三者の装置１５０、１６０の利用は、典型的には、モバイル用テレビのサービスプロバイダ１３２と、選択した（単複の）第三者の装置１５０、１６０との間で、インターネット接続１４０を介して、好適にはブロードバンド接続を介して行われる。ブロードバンド接続は無線モバイル用テレビ放送よりも高い帯域幅を供給することが予想される。ユーザは、Ｍ−ＲＡＮ１２０を経由してモバイル用テレビのサービスプロバイダ１３２と無線で通信を行うその能力を用いて、自分の携帯用モバイル通信デバイス１１０から番組の宛先を制御することが可能である。携帯用モバイル通信デバイス１１０において実行するリダイレクトアプリケーションは、選択した番組の（単複の）お気に入りの宛先を示す制御信号をモバイル用テレビのサービスプロバイダ１３２へ送信することができる。１以上の選択したお気に入りが第三者の装置１５０、１６０であれば、モバイル用テレビのサービスプロバイダ１３２は、それ自身のリダイレクトアプリケーション１３６を介して、インターネット１４０を経由して所望の代替の宛先へ向けてビデオストリームを同時に送信する。
【００２８】
図３は、本発明の実施形態に係る放送用モバイル用テレビ信号の宛先と品質とを変更する方法を示すフローチャートである。ブロック３１０において、ユーザは、モバイル用テレビの携帯用モバイル通信デバイス１１０内に常駐しているテレビ視聴用アプリケーションか、又は通信デバイス１１０に添付されているテレビ視聴用アプリケーションを呼び出す。続いて、ブロック３２０において、ユーザは、携帯用モバイル通信デバイス１１０により受信可能なチャネルで利用できる現在及び将来の番組を示す番組案内チャネルにアクセスして、このチャネルを視聴することができる。これらの受信可能なチャネルは、携帯用モバイル通信デバイス１１０のユーザとモバイル用テレビのサービスプロバイダ１３２との間での会員登録契約の結果であることが予想される。ブロック３３０において、ユーザは、関心対象の番組を見つけて、それを選択するまで、携帯用モバイル通信デバイス１１０のキーパッドと、ファンクションボタンと、ジョイスティック２１４との少なくともいずれかを用いて番組チャネル案内の操作を行う。判定ブロック３４０において、リダイレクトアプリケーション２２２は、携帯用モバイル通信デバイスのディスプレイ２１２を介して、選択した番組に対応する宛先を指定するようにユーザに促す。続いて、ユーザ／視聴者は宛先オプションのうちの１つを選択する。ユーザが移動機の宛先を選択した場合、デフォルトによって、番組は（通常の）低品質フォーマット３６０で携帯用モバイル通信デバイス１１０へ送信、即ち放送を行う。デフォルトの携帯用モバイル通信デバイス１１０以外の宛先が選択されるか、デフォルトのモバイル通信デバイスに追加の宛先が選択された場合、ユーザはまた、代替の宛先が、選択番組の高品質フォーマットで受信すべきかどうかの選択を行うように促される（３５０）。ユーザは、標準品質又は基本品質（即ち、移動機と同じ）のテレビ信号とは対照的に、高品質のリダイレクトを選択する対価としてプレミアムのオプション料金を課金される可能性がある。この割増料金によって、追加の帯域幅と、選択番組を所望の宛先へ‘プッシュ’するのに必要な符号化とが可能となる。
【００２９】
ブロック３７０において、リダイレクトアプリケーション２２２はユーザの選択結果を処理し、選択した低品質又は高品質のフォーマットで所望の宛先へ向けて放送番組の送信を行う。この送信は、モバイル用テレビのサービスプロバイダから選択済みの宛先へ選択した放送番組を同時にリダイレクトせよという命令とともに、モバイル用テレビのサービスプロバイダへ無線で制御信号を送信することにより行われる。
【００３０】
双方向型音声機能を介して、また、携帯用モバイル通信デバイス等のディスプレイに示されるグラフィックユーザインタフェース（ＧＵＩ）を介して、本発明に関連づけられる任意のプロンプトを提示したり、応答させたりしてもよい。
【００３１】
上記図中のフローチャート及びブロック図は、本発明の各種の実施形態に係るシステム、方法並びにコンピュータプログラムのアーキテクチャ、機能及び可能な実装構成の動作を例示するものである。この点に関して、フローチャート又はブロック図内の個々のブロックは、特定された（単複の）論理機能を実現する１以上の実行可能な命令を備えたモジュール、セグメント、又はコードの一部を表すことも可能である。いくつかの代替の実施例では、上記ブロックにおいて上述した機能が図中で述べた順序とは異なる順序で行われる場合もあることにも留意されたい。例えば、続けて示される２つのブロックを、実際には、機能に応じてほぼ同時に実行し、又は、逆の順序で実行することも時として可能である。ブロック図の個々のブロックとフローチャート図との少なくともいずれか、並びに、ブロック図内のブロックの組み合わせとフローチャート図との少なくともいずれかは、指定の機能若しくは動作又は特定用途向けハードウェアとコンピュータ命令との組み合わせを実行する特定用途向けハードウエアベースのシステムにより実現が可能であることも付記しておく。
【００３２】
本明細書で使用されている用語は、特定の実施形態について単に説明することを目的とするものであって、本発明の限定を意図するものではない。本明細書で使用されているように、別段の記載がない限り、単数形を示す「ａ」、「ａｎ」及び「ｔｈｅ」は複数形も同様に含むことを意図するものである。「備える（comprises）」と、「備えている（comprising）」という用語は、本明細書で使用される場合、上述の特徴、数値、ステップ、処理、要素とコンポーネントの少なくともいずれかの存在を特定する用語であるが、１以上の他の特徴、数値、ステップ、処理、要素及びこれらのグループの少なくともいずれかの存在又は追加を除外するものではないことをさらに理解されたい。
【００３３】
特定の実施の形態について本明細書に図示し説明したが、当業者に理解されるように、図示された特定の実施形態の代わりに同じ目的を達成するよう考慮された任意の変更がなされてもよい。本出願は本発明の全ての適用又は変形をカバーするものであってもよい。特許請求の範囲は、本発明の範囲を上述した特定の実施形態に限定する意図は全くない。
【図面の簡単な説明】
【００３４】
【図１】本発明の実施形態に係る放送されるモバイル用テレビ信号の宛先を変更する例示システムのブロック図である。
【図２】本発明の実施形態に係る放送されるモバイル用テレビ信号の宛先を制御する図１のシステムとともに使用する例示の携帯用モバイル通信デバイスのブロック図である。
【図３】本発明の実施形態に係る宛先と、放送されるモバイル用テレビ信号の品質とを変更する方法を示すフローチャートである。
【図１】
2009515425.tif 000003
【図２】
2009515425.tif 000004
【図３】
2009515425.tif 000005
【国際調査報告】
2009515425.tif 000006
2009515425.tif 000007